(57)【要約】【課題】ヘアスタイリング装置および毛髪をカールさせる方法を提供する。【解決手段】ヘアスタイリング装置１０は、クランプ部２２、２４に連結されたハンドル部１８、２０を有する第１のアーム１２および第２のアーム１４を備え、各アーム１２、１４はハンドル部１８、２０に隣接する第１の端部で互いに結合されており、クランプ部２２、２４は、開放位置と、カール形成器具がクランプ部２２、２４の間に保持され得る閉鎖位置との間で、互いに対して移動可能であることを可能にする。第１のアーム１２のクランプ部２２はヒータ素子を収容し、凹形状でヒータ素子によって加熱可能な表面を含む。第２のアーム１４のクランプ部２４は、凸形状のクランプ面３０を含む。クランプ部２２、２４が閉鎖位置にあるとき、第１のアーム１２の加熱可能な表面と第２のアーム１４のクランプ面３０とは、離間距離だけ離間している。【選択図】図１ａ
2021524366.tif 000002
【特許請求の範囲】
【請求項１】
クランプ部に結合されたハンドル部を有する第１のアームおよび第２のアームを備え、
各前記アームは、前記ハンドル部に隣接する第１の端部で互いに結合され、前記クランプ部は、開放位置と、前記クランプ部の間にカール形成器具を保持し得る閉鎖位置との間で、互いに対して移動可能であることを可能にするヘアスタイリング装置であって、
前記第１のアームの前記クランプ部は、ヒータ素子を収容し、凹形状で前記ヒータ素子によって加熱可能な表面を含み、前記第２のアームの前記クランプ部は、凸形状のクランプ面を含み、前記クランプ部が前記閉鎖位置にあるとき、前記第１のアームの加熱可能な表面と前記第２のアームの前記クランプ面とは、離間距離だけ離間している、ヘアスタイリング装置。
【請求項２】
前記離間距離は少なくとも５ｍｍである、請求項１に記載のヘアスタイリング装置。
【請求項３】
前記第２のアームの凸形状の前記クランプ面は、加熱可能な表面である、請求項１または２に記載のヘアスタイリング装置。
【請求項４】
前記第２のアームの前記クランプ部は、前記ヒータ素子を収容する、請求項３に記載のヘアスタイリング装置。
【請求項５】
前記第２のアームの凸形状の前記クランプ面の温度を制御するためのコントローラをさらに備える、請求項３または４に記載のヘアスタイリング装置。
【請求項６】
前記第２のアームの凸形状の前記クランプ面の温度は、０℃、７０℃、１００℃および２２０℃を含む群から選択される温度に加熱され得る、請求項５に記載のヘアスタイリング装置。
【請求項７】
前記コントローラは、各前記アームの加熱可能な表面の温度を制御する、請求項５または６に記載のヘアスタイリング装置。
【請求項８】
各前記アームの加熱可能な表面の温度を検出する温度センサをさらに備える、請求項５〜７のいずれか一項に記載のヘアスタイリング装置。
【請求項９】
各前記アームの加熱可能な表面は２２０℃までの温度に加熱される、請求項３〜８のいずれか一項に記載のヘアスタイリング装置。
【請求項１０】
各前記アームの加熱可能な表面は、アルミニウム、スチール、チタンおよびセラミックを含む群から選択される材料からなる、請求項３〜９のいずれか一項に記載のヘアスタイリング装置。
【請求項１１】
各前記アームの加熱可能な表面は、セラミック、トルマリン、およびフッ素樹脂を含む群から選択される材料でコーティングされている、請求項３〜１０のいずれか一項に記載のヘアスタイリング装置。
【請求項１２】
請求項１〜１１のいずれか一項に記載のヘアスタイリング装置を使用して毛髪にカールを形成する方法であって、
カール形成器具の周りに毛髪の一部を巻く工程（ａ）と、
前記ヘアスタイリング装置の各前記アームの加熱可能な表面を加熱する工程（ｂ）と、
前記ヘアスタイリング装置の前記クランプ部の間で、前記カール形成器具を把持する工程（ｃ）と、
前記ヘアスタイリング装置の前記クランプ面の間で前記カール形成器具を所定の時間だけ圧縮する工程（ｄ）と、
前記カール形成器具を前記ヘアスタイリング装置から解放する工程（ｅ）と、
を含む、毛髪をカールさせる方法。
【請求項１３】
前記所定の時間が１０〜４０秒の範囲である、請求項１２に記載の毛髪をカールさせる方法。
【請求項１４】
前記所定の時間が１０〜３０秒の範囲である、請求項１２に記載の毛髪をカールさせる方法。
【請求項１５】
前記所定の時間が１０〜２０秒の範囲である、請求項１２に記載の毛髪をカールさせる方法。
【請求項１６】
前記所定の時間が１０〜１５秒の範囲である、請求項１２に記載の毛髪をカールさせる方法。
【請求項１７】
前記所定の時間が１５〜２０秒の範囲である、請求項１２に記載の毛髪をカールさせる方法。
【請求項１８】
前記所定の時間が１８秒である、請求項１２に記載の毛髪をカールさせる方法。
【請求項１９】
前記工程（ａ）の前に、毛髪の一部に熱保護および毛髪硬化製品を適用する追加のステップをさらに含む、請求項１２〜１８のいずれか一項に記載の毛髪をカールさせる方法。
【請求項２０】
前記工程（ａ）の後、前記工程（ｂ）の前に、毛髪の一部に熱保護および毛髪硬化製品を適用する追加のステップをさらに含む、請求項１２〜１８のいずれか一項に記載の毛髪をカールさせる方法。
【発明の詳細な説明】
【技術分野】
【０００１】
本発明はヘアスタイリング装置に関し、特に、カール形成器具内に収容された毛髪を加熱する装置および毛髪をカールさせる方法に関する。
【背景技術】
【０００２】
毛髪の一部にカールを付与するための公知の装置は加熱されたカーリングアイロン、カーリングトングおよびカーリングワンドを含み、これらの大部分は、ハンドルに取り付けられた円筒形加熱要素を含む。これらの装置を使用するために、カールされる各毛髪の一部は、加熱要素の周りに巻かれ、次いで、取り除かれ、頭部の周りの毛髪の異なるセクションに対する動作を繰り返す。
【０００３】
ローラーもまた、毛髪をカールさせるために一般的に使用される。ローラーは、加熱されていなくてもよく、または使用前に予熱されていてもよい。加熱されたローラーは、使用前に加熱される中空円筒ローラー本体を備える。毛髪の一部は、毛髪の端部から始まり頭皮に向かって回転するようにローラーの周りに巻き付けられる。次に、ローラーは頭皮に固定され、ローラーからの熱は、ローラーが冷えるにつれて、その周りに巻き付けられた毛髪に伝達される。加熱されたローラーは、典型的には非常に重く、ローラーを毛髪に入れるときにユーザーが指を火傷する危険性が常にある。加えて、ローラーは一般に、毛髪を一方向、すなわち毛髪の端部から頭皮まで巻くためにのみ使用することができ、それによって、１つのタイプのカールのみを生成する。
【先行技術文献】
【特許文献】
【０００４】
【特許文献１】中国特許第２４９７６０２号
【発明の概要】
【発明が解決しようとする課題】
【０００５】
中国特許第２４９７６０２号は、頭部への装着後に加熱される可能性のある、従来のローラーについて説明している。ハンドヘルド装置はローラーを取り囲むように形作られた加熱要素を含み、各ローラー上の毛髪は、加熱要素との接触を通じて個々に加熱される。
【０００６】
サロンおよび家庭環境の両方で使用するための、毛髪をカールさせるための改良された装置を提供することが望ましいであろう。
【課題を解決するための手段】
【０００７】
本発明は、クランプ部に結合されたハンドル部を有する第１のアームおよび第２のアームを備える。
各前記アームは、前記ハンドル部に隣接する第１の端部で互いに結合され、前記クランプ部は、開放位置と、前記クランプ部の間にカール形成器具を保持し得る閉鎖位置との間で互いに対して移動可能であることを可能にするヘアスタイリング装置である。
前記第１のアームの前記クランプ部は、ヒータ素子を収容し、凹形状で前記ヒータ素子によって加熱可能な表面を含み、前記第２のアームの前記クランプ部は、凸形状のクランプ面を含み、前記クランプ部が前記閉鎖位置にあるとき、前記第１のアームの加熱可能な表面と、前記第２のアームの前記クランプ面とは、離間距離だけ離間している。
【０００８】
好ましくは、ヘアスタイリング装置は、前記第１のアームおよび前記第２のアームを前記開放位置に離れるように付勢するための付勢手段を含む。好ましくは、前記付勢手段はばねである。
【０００９】
好ましくは、前記離間距離は少なくとも５ｍｍである。これにより、カール形成器具を、２つの前記クランプ面の間で、快適につかみ、圧縮することができる。
【００１０】
好ましくは、前記第２のアームの凸形状の前記クランプ面は、加熱可能な表面である。有利には、前記第２のアームの前記クランプ部は前記ヒータ素子を収容する。
【００１１】
好ましくは、ヘアスタイリング装置は、前記第２のアームの凸形状の前記クランプ面の温度を制御するためのコントローラをさらに備える。有利には、ユーザーは複数の温度の所定の選択から前記第２のアームの凸形状の前記クランプ面の温度を選択することができる。好ましくは、前記第２のアームの凸形状の前記クランプ面は０℃、７０℃、１００℃および２２０℃を含む群から選択される温度に加熱することができる。前記コントローラは、各前記アームの加熱可能な表面の温度を制御することができ、ユーザーは、各前記アームの加熱可能な表面の温度を選択することができる。
【００１２】
好ましくは、ヘアスタイリング装置は、各前記アームの加熱可能な表面の温度を検出する温度センサをさらに備える。
【００１３】
好ましくは、各前記アームの加熱可能な表面は２２０℃までの温度に加熱される。
【００１４】
好ましくは、各前記アームの加熱可能な表面は、アルミニウム、スチール、チタンおよびセラミックを含む群から選択される材料からなる。
【００１５】
有利には、各前記アームの加熱可能な表面はセラミック、トルマリン、およびフッ素樹脂を含む群から選択される材料でコーティングされている。
【００１６】
本発明のさらなる態様によれば、以下の工程を含む、上記で定義されたヘアスタイリング装置を使用して毛髪を加熱する方法が提供される。
カール形成器具の周りに毛髪の一部を巻く工程（ａ）と、
前記ヘアスタイリング装置の各前記アームの加熱可能な表面を加熱する工程（ｂ）と、
前記ヘアスタイリング装置の前記クランプ部分の間で、前記カール形成器具を把持する工程（ｃ）と、
前記ヘアスタイリング装置の前記クランプ面の間で、前記カール形成器具を所定の時間だけ圧縮する工程（ｄ）と、
前記カール形成器具を前記ヘアスタイリング装置から解放する工程（ｅ）。
【００１７】
好ましくは、前記所定の時間は１０〜４０秒の範囲である。より好ましくは、前記所定の時間は１０〜３０秒の範囲である。さらにより好ましくは、前記所定の時間は１０〜２０秒の範囲である。さらにより好ましくは、前記所定の時間は１０〜１５秒または１５〜２０秒の範囲である。最も好ましくは、前記所定の時間は１８秒である。
【００１８】
好ましくは、前記カール形成器具内の毛髪が８０℃〜１００℃の温度に加熱される。
【００１９】
有利には、本方法は前記工程（ａ）の前に、毛髪の一部に熱保護および毛髪硬化製品を適用するさらなるステップを含む。あるいは、前記工程（ａ）の後、前記工程（ｂ）の前に、毛髪の一部に熱保護および毛髪硬化製品を適用してもよい。熱保護および毛髪硬化製品は、スプレーの形態であってもよい。
【００２０】
図面はヘアスタイリング装置の好ましい実施形態を示しており、例としてのものである。
【図面の簡単な説明】
【００２１】
【図１ａ】ヘアスタイリング装置を下方から見た斜視図である。
【図１ｂ】図１ａのヘアスタイリング装置を上方から見た斜視図である。
【図２】図１ａのヘアスタイリング装置の平面図である。
【図３ａ】図２のヘアスタイリング装置の、線Ａ−Ａに沿った断面図であり、ヘアスタイリング装置は開放形態にある。
【図３ｂ】図２のヘアスタイリング装置の、線Ａ−Ａに沿った断面図であり、ヘアスタイリング装置は閉鎖形態にある。
【図４ａ】図２のヘアスタイリング装置の、線Ｂ−Ｂに沿った断面図であり、ヘアスタイリング装置は閉鎖形態にある。
【図４ｂ】図２のヘアスタイリング装置の、線Ｂ−Ｂに沿った断面図である。ヘアスタイリング装置は閉鎖形態にあり、カーラーはクランプ部の間に保持されている。
【図５ａ】本発明のヘアスタイリング装置と共に使用するカーラーを開放形態で示す等角図である。
【図５ｂ】図５ａのカーラーを開放形態で示す側面図である。
【図５ｃ】図５ｂのカーラーを閉鎖形態で示す側面図である。
【発明を実施するための形態】
【００２２】
図１ａおよび図１ｂを参照すると、ヘアスタイリング装置１０は、第１および第２のアーム１２、１４を含む。各アーム１２、１４は、クランプ部２２、２４に結合されたハンドル部１８、２０を有する。アーム１２、１４は、ハンドル部１８、２０に隣接する一端のヒンジ１６を介して一緒に結合される。ヒンジ１６は図１ａ、図１ｂ、および図３ａに例示されているように、ヘアスタイリング装置１０の２つのアーム１２、１４のクランプ部２２、２４を開放位置にバイアスして離間させる任意のタイプのヒンジ機構であってもよい。ユーザーはハンドル部１８、２０に圧搾力を加えて、クランプ部２２、２４を共に押し、ヘアスタイリング装置１０を閉じることができる。図３ｂは、閉鎖位置にあるヘアスタイリング装置１０を図示する。
【００２３】
クランプ部２２、２４は、国際公開第２０１７／０９８２８２号パンフレットに記載されているようなカール形成器具を受け入れるように形成された内側クランプ面２８、３０を含む。
【００２４】
図３ａ、図３ｂ、図４ａおよび図４ｂは、ヘアスタイリング装置１０の様々な断面図を示す。これらの図に示されるように、上部のクランプ部２２は凹形状の内側クランプ面２８を含み、下部のクランプ部２４は、凸形状の内側クランプ面３０を含む。
【００２５】
図４ａに示すように、クランプ部２２、２４が閉鎖位置にあるとき、上部のクランプ部２２の凹形状の内側クランプ面２８と、下部のクランプ部２４の凸形状の内側クランプ面３０とは、Ｘとラベル付けされた距離だけ離間している。
【００２６】
図５ａ、５ｂおよび５ｃは、本発明のヘアスタイリング装置１０で加熱され得るカール形成器具、すなわちカーラー３２の例を示す。カーラー３２は、中央に位置するコネクタ部３４によって連結された２つの離間した側部４０、４２を備える。第１の側部４０は側面から見て実質的に平坦であり、第２の側部４２は曲線状である。この例では、第１の側部４０には、コネクタ部３４と実質的に同じ方向に第２の側部４２に向かって延びる５つの細長い突起すなわちポスト４４の形態のバリア部材が設けられている。第２の側部４２は、２つの固定状態を有するように構成されている。第１の固定状態は図５ａに示されており、第２の側部４２は形状が凸形状であり、第１の側部４０から離れて曲線状である。これは、カーラー３２の開放形態であり、毛髪がコネクタ部３４の周りに巻かれることを可能にする。第２の固定状態は図５ｃに示されており、第２の側部４２が折り畳まれて、コネクタ部３４および第１の側部４０の頂部上に凹形状に湾曲している。これは、カーラー３２の閉鎖形態であり、コネクタ部３４の周りに巻かれた毛髪をカーラー３２内に固定することを可能にする。カーラー３２は、弾性と熱伝導性の両方を有する材料から製造され、コネクタ部３４は中空であることが好ましく、カーラー３２を圧縮することができる。
【００２７】
図４ｂは、２つの内側クランプ面２８、３０の間にクランプされたカーラー３２を図示している。上部の内側クランプ面２８と下部の内側クランプ面３０との間の離間距離Ｘは、カーラー３２を内側クランプ面２８、３０の間に収容することを可能にするだけでない。カーラー３２が内側クランプ面２８、３０の間で圧縮されて、カーラー３２内に位置する毛髪をより効率的に加熱することを確実にする。したがって、離間距離Ｘは、カーラー３２のコネクタ部３４の長さよりも短い。カーラー３２の、第１および第２の側部４０、４２の間のギャップを橋渡しするポスト４４も熱伝導性である。本実施形態では、カーラー３２が圧縮されると、これらのポスト４４は加熱された内側クランプ面２８、３０に接触し、カーラー３２内の毛髪への熱の伝達を補助する。
【００２８】
ヘアスタイリング装置１０は、ヒンジ１６に隣接してヘアスタイリング装置１０から延び出る電源コード２６を含む。第１のアーム１２の上部のクランプ部２２は、ヒータ素子を収容し、ヒータ素子は、上部のクランプ部２２の内側に位置する凹形状の内側クランプ面２８を加熱する。凹形状の内側クランプ面２８は、アルミニウム、スチール、チタン、セラミック又は他の適当な材料のような熱伝導性材料から製造される。上部の内側クランプ面２８は、セラミックコーティング、トルマリンコーティング、またはフッ素樹脂コーティング、または他の適切な材料でコーティングされていてもよい。また、下部のクランプ部２４の、下部の内側クランプ面３０は、下部のクランプ部２４内に配置され得るヒータ素子によって加熱可能であってもよい。下部の内側クランプ面３０は、上部の内側クランプ面２８と同様の材料から製造することができる。このヘアスタイリング装置１０は、ユーザーが内側クランプ面２８、３０の一方又は両方の温度を、好ましくはハンドル部１８、２０の一方に配置されたスイッチ３６を用いて制御することができるコントローラを含むことができる。好ましくは、上部の内側クランプ面２８は約２２０℃の温度まで加熱可能である。好ましくは、上部のクランプ部２２および下部のクランプ部２４の両方は、ヘアスタイリング装置１０の外部表面が手に触れると熱くなるのを防止するための絶縁体を含む。
【００２９】
下部のクランプ部２４は、使用中にユーザーの頭部に接触する可能性があるので、不快感を避けるために下部の内側クランプ面３０を加熱しないようにしてもよい。あるいは、下部の内側クランプ面３０を上部の内側クランプ面２８よりも低い温度に加熱してもよい。ユーザーは、下部の内側クランプ面３０の温度を、３つ以上の温度の所定の選択から選択することができる。例えば、下部の内側クランプ面３０の温度は、スイッチ３６をスライドさせるか、またはダイヤル（図示せず）を所望の温度設定に対応する位置に回すことによって変更することができる。温度設定の選択は例えば、０℃、７０℃、１００℃、２２０℃であってもよい。
【００３０】
各クランプ部２２、２４には、複数の通気孔３８が設けられていてもよい。
【００３１】
使用時には、各カーラー３２のコネクタ部３４の周りに毛束を巻き付けることによって、いくつかのカーラー３２が頭部に適用される。カーラー３２が所定の位置に配置されると、ヘアスタイリング装置１０によって把持され、２つのクランプ部２２、２４の間にクランプされる。ヘアスタイリング装置１０は、アーム１２、１４を閉じ、クランプ部２２、２４をカーラー３２の周りにクランプする際に開始されるタイマーを含むことができる。好ましくは、カーラー３２が最適な時間加熱された後に、可聴警報が発せられる。この可聴警報は、ヘアスタイリング装置１０内に保持されたカーラー３２が十分に加熱され、解放されるべきであることを示す。好ましくは、カーラー３２は約１００℃の温度に加熱され、カーラー３２内の毛髪は約８０℃の温度に加熱される。カーラー３２は、それらが冷却され、カールが硬化した後、典型的にはカーラー３２の温度が３０℃以下であるときにのみ毛髪から除去される。典型的には頭部の毛髪には複数のカーラー３２が使用され、各カーラー３２は、本発明のヘアスタイリング装置１０を使用して個別に加熱される。
【符号の説明】
【００３２】
１０  ヘアスタイリング装置
１２  第１のアーム
１４  第２のアーム
１６  ヒンジ
１８、２０  ハンドル部
２２、２４  クランプ部
２６  電源コード
２８、３０  内側クランプ面
３２  カーラー
３４  コネクタ部
３６  スイッチ
３８  通気孔
４０  第１の側部
４２  第２の側部
４４  ポスト
【図１ａ】
2021524366.tif 000003
【図１ｂ】
2021524366.tif 000004
【図２】
2021524366.tif 000005
【図３ａ】
2021524366.tif 000006
【図３ｂ】
2021524366.tif 000007
【図４ａ】
2021524366.tif 000008
【図４ｂ】
2021524366.tif 000009
【図５ａ】
2021524366.tif 000010
【図５ｂ】
2021524366.tif 000011
【図５ｃ】
2021524366.tif 000012
【国際調査報告】
2021524366.tif 000013
2021524366.tif 000014
2021524366.tif 000015